(57)【要約】【課題】テレビジョン受像装置において、ユーザが画面のすぐ傍にいる場合であっても、表示画面の全体を一望でき、かつ消費電力を低減できるようにする。【解決手段】チューナが受信した放送信号の映像信号を、リモコン送信装置から入力された指令信号に応じて映像信号処理部が間引きすることにより、プラズマディスプレイパネル５に表示させる映像を縮小し、一部の表示領域を用いて縮小画面２０を表示する。また、リモコン送信装置から入力された指令信号に応じて縮小画面２０の縮小率及び表示位置を変更し、ユーザとの画面との位置関係に応じて最適な縮小画面２０を表示する。【選択図】図３
2005318142.tif 000002
【特許請求の範囲】
【請求項１】
テレビジョン放送信号を受信するチューナと、このチューナによって受信されたＴＶ放送信号に対して所定の処理を行う映像信号処理手段と、この映像信号処理手段により処理された映像信号に基いて映像を表示する映像表示手段と、上記各部を制御する制御手段と、ユーザによって操作され、前記制御手段に各種の指令信号を入力するための指令入力手段とを備えたテレビジョン受像装置において、
前記映像信号処理手段は、
前記指令入力手段から前記制御手段に入力された第1の指令信号に応じて、前記映像表示手段に表示させる映像を縮小し、該映像表示手段の一部の表示領域を用いて縮小した映像を表示させ、
前記指令入力手段から前記制御手段に入力された第２の指令信号に応じて、縮小率を変化させて映像表示手段に映像を表示させ、
前記指令入力手段から前記制御手段に入力された第３の指令信号に応じて、前記映像表示手段の表示領域の位置を任意に設定可能としたことを特徴とするテレビジョン受像装置。
【請求項２】
テレビジョン放送信号を受信するチューナと、このチューナによって受信されたＴＶ放送信号に対して所定の処理を行う映像信号処理手段と、この映像信号処理手段により処理された映像信号に基いて映像を表示する映像表示手段と、上記各部を制御する制御手段と、ユーザによって操作され、前記制御手段に各種の指令信号を入力するための指令入力手段とを備えたテレビジョン受像装置において、
前記映像信号処理手段は、前記指令入力手段から前記制御手段に入力された所定の指令信号に応じて、前記映像表示手段に表示させる映像を縮小し、該映像表示手段の一部の表示領域を用いて縮小した映像を表示させることを特徴とするテレビジョン受像装置。
【請求項３】
前記映像信号処理手段は、前記指令入力手段から前記制御手段に入力された所定の指令信号に応じて、縮小率を段階的に変化させて映像表示手段に映像を表示させ、
ユーザが前記映像表示手段の表示領域の大きさを任意に設定可能としたことを特徴とする請求項２に記載のテレビジョン受像装置。
【請求項４】
前記映像信号処理手段は、前記指令入力手段から前記制御手段に入力された所定の指令信号に応じて、前記映像表示手段の表示領域の位置を変更し、
ユーザが前記映像表示手段の表示領域の位置を任意に設定可能としたことを特徴とする請求項２に記載のテレビジョン受像装置。
【発明の詳細な説明】
【技術分野】
【０００１】
本発明は、プラズマディスプレイパネル等の比較的大きな表示画面を有するテレビジョン受像装置に関するものである。
【背景技術】
【０００２】
近年、視認性に優れた薄型の表示パネルとして、プラズマディスプレイパネルが注目されており、このようなプラズマディスプレイパネルを用いたテレビジョン受像装置の大画面化及び低価格化が急速に進展しつつある。また、同様に液晶ディスプレイパネルの大画面化及び低価格化も実現しつつある。
【０００３】
また、複数のテレビジョン信号を同一ディスプレイ上に多画面表示するテレビジョン受像装置において、表示させる画面数やアスペクト比に応じて各画面サイズ調整するものが知られている（例えば、特許文献１参照）。また、画面サイズの変更を伴う様々な表示モードで、キャプションの全情報を画面上の最適位置に表示するテレビジョン受像装置が知られている（例えば、特許文献２参照）。
【０００４】
また、ディスプレイ装置においては、パーソナルコンピュータシステムを介さずに、単独で表示モードの切り替え制御を行えるようにしたもの（例えば、特許文献３参照）、及び、映像の表示範囲を縮小し、所定時間経過後、縮小された映像の表示位置を移動させるものが知られている（例えば、特許文献４参照）。
【特許文献１】特開平６−８６１８７号公報
【特許文献２】特開平５−３０４６４１号公報
【特許文献３】特開平１１−１５４２５号公報
【特許文献４】特開２００２−４９３６５号公報
【発明の開示】
【発明が解決しようとする課題】
【０００５】
このような、大画面のテレビジョン受像装置は、大きなリビングルーム等において画面からユーザが離れている場合には非常に迫力ある映像を楽しむことができるが、住宅事情等により画面のすぐ傍にユーザがいる場合には、表示画面全体を一望することができず、却って視認性が悪化することがある。
【０００６】
また、大画面のテレビジョン受像装置は、画面の表示面積に比例して相応の電力を消費するため、省電力化が強く望まれている。ところが、例えば、天気予報等の番組によっては、ユーザが視聴をするのにそれほど大きな表示領域を必要としないものもある。このような番組を視聴する場合にも大画面の全体を用いて映像表示を行えば、無駄な電力を消費することとなり、省電力化の要請に反することになる。
【０００７】
上記いずれの特許文献に示された技術を適用しても、上述した課題を解決することができない。なお、特許文献４には、映像の表示範囲を縮小し、縮小された映像の表示位置を移動させる技術が示されているが、ユーザの意思に関わりなく表示位置が移動されるディスプレイ装置は、テレビジョン受像装置には適さない。
【０００８】
本発明は、上記課題を解決するためになされたものであり、ユーザが画面のすぐ傍で視聴する場合であっても、表示画面の全体を一望でき、かつ消費電力を低減できるテレビジョン受像装置を提供することを目的とする。
【課題を解決するための手段】
【０００９】
上記目的を達成するために請求項１の発明は、テレビジョン放送信号を受信するチューナと、このチューナによって受信されたＴＶ放送信号に対して所定の処理を行う映像信号処理手段と、この映像信号処理手段により処理された映像信号に基いて映像を表示する映像表示手段と、上記各部を制御する制御手段と、ユーザによって操作され、制御手段に各種の指令信号を入力するための指令入力手段とを備えたテレビジョン受像装置において、映像信号処理手段は、指令入力手段から制御手段に入力された第1の指令信号に応じて、映像表示手段に表示させる映像を縮小し、該映像表示手段の一部の表示領域を用いて縮小した映像を表示させ、指令入力手段から制御手段に入力された第２の指令信号に応じて、縮小率を変化させて映像表示手段に映像を表示させ、指令入力手段から制御手段に入力された第３の指令信号に応じて、映像表示手段の表示領域の位置を任意に設定可能としたものである。
【００１０】
請求項２の発明は、テレビジョン放送信号を受信するチューナと、このチューナによって受信されたＴＶ放送信号に対して所定の処理を行う映像信号処理手段と、この映像信号処理手段により処理された映像信号に基いて映像を表示する映像表示手段と、上記各部を制御する制御手段と、ユーザによって操作され、制御手段に各種の指令信号を入力するための指令入力手段とを備えたテレビジョン受像装置において、映像信号処理手段は、指令入力手段から制御手段に入力された所定の指令信号に応じて、映像表示手段に表示させる映像を縮小し、該映像表示手段の一部の表示領域を用いて縮小した映像を表示させるものである。
【００１１】
請求項３の発明は、請求項２に記載のテレビジョン受像装置において、映像信号処理手段は、指令入力手段から制御手段に入力された所定の指令信号に応じて、縮小率を段階的に変化させて映像表示手段に映像を表示させ、ユーザが映像表示手段の表示領域の大きさを任意に設定可能としたものである。
【００１２】
請求項４の発明は、請求項２に記載のテレビジョン受像装置において、映像信号処理手段は、指令入力手段から制御手段に入力された所定の指令信号に応じて、映像表示手段の表示領域の位置を変更し、ユーザが映像表示手段の表示領域の位置を任意に設定可能としたものである。
【発明の効果】
【００１３】
請求項１の発明によれば、映像信号処理手段が映像表示手段に表示させる映像を縮小して一部の表示領域を用いて縮小した映像を表示させるので、ユーザが画面のすぐ傍にいる場合であっても、表示画面の全体を一望でき、画面の視認性が良好になる。また、装置の消費電力の低減を図ることができる。また、映像信号処理手段が映像表示手段に表示させる映像の縮小率を変化させることができるので、部屋の大きさ（ユーザと画面との距離）及びユーザの好みに応じて自由に映像のサイズを調整することができ、装置の使い勝手を高めることができる。また、映像表示手段の表示領域の位置を任意に設定可能であるので、装置とユーザとの位置関係に応じて映像の表示位置を変更することができ、装置の使い勝手を高めることができる。
【００１４】
請求項２の発明によれば、映像信号処理手段が映像表示手段に表示させる映像を縮小して一部の表示領域を用いて縮小した映像を表示させるので、ユーザが画面のすぐ傍にいる場合であっても、表示画面の全体を一望でき、画面の視認性が良好になる。また、装置の消費電力の低減を図ることができる。
【００１５】
請求項３の発明によれば、映像信号処理手段が映像表示手段に表示させる映像の縮小率を変化させることができるので、部屋の大きさ及びユーザの好みに応じて自由に映像のサイズを調整することができ、装置の使い勝手を高めることができる。
【００１６】
請求項４の発明によれば、映像表示手段の表示領域の位置を任意に設定可能であるので、装置とユーザとの位置関係に応じて映像の表示位置を変更することができ、装置の使い勝手を高めることができる。
【発明を実施するための最良の形態】
【００１７】
本発明を実施するための最良の実施形態によるテレビジョン受像装置について図面を参照して説明する。図１はテレビジョン受像装置の一例として、プラズマディスプレイパネルを備えたプラズマテレビジョン受像装置（以下、プラズマＴＶ装置と記す）を示している。プラズマＴＶ装置１は、アンテナ２ａを介してＴＶ放送信号を受信するチューナ２と、チューナ２によって受信されたＴＶ放送信号を処理する映像信号処理部（映像信号処理手段）３と、映像信号処理部３から出力された映像信号に基いてプラズマディスプレイパネル５に駆動電圧を印加するパネル駆動部（映像表示手段）４と、パネル駆動部に印加された駆動電圧に応じた映像を出力するプラズマディスプレイパネル（映像表示手段）５と、チューナ２によって受信された音声信号を処理する音声信号処理部６と、音声信号処理部６から出力された音声信号に応じた音声を出力するスピーカ７と、上記各部を制御する制御部（制御手段）８と、ユーザによって操作され、制御部に各種の指令信号を入力するためのリモコン送信装置（指令入力手段）９と、リモコン送信装置９から送信された指令信号（赤外線信号）を受信し、電気信号に変換して制御部８に転送するリモコン受信部１０と装置各部に電力を供給する電源部１１等によって構成されている。
【００１８】
図２は、リモコン送信装置９の詳細を示している。リモコン送信装置９は、プラズマＴＶ装置１の電源をオン／オフするための電源操作キー１５と、受信チャンネルを選択するための数字入力キー１６と、プラズマディスプレイパネル５にメニュー項目を表示させるためのメニューキー１７と、プラズマディスプレイパネル５に表示されたメニュー項目の中から所望のメニュー項目を選択するためのカーソルキー１８と、カーソルキー１８によって選択されたメニュー項目を決定するための決定キー１９を有している。
【００１９】
本実施形態のプラズマＴＶ装置１に用いられているプラズマディスプレイパネル５は、薄型軽量であって大画面化に適しており、画面サイズが４０インチを超えるものも既に実用化されている。プラズマＴＶ装置１は、ユーザが画面のすぐ傍にいる場合に、映像を縮小し、その縮小された映像をプラズマディスプレイパネル５の一部の表示領域を用いて表示することにより、視認性が悪化しないように構成されている。
【００２０】
ユーザは、リモコン送信装置９を操作することにより、プラズマディスプレイパネル５の一部の表示領域に縮小された映像を表示させることができる。例えば、ユーザは、メニューキー１７を複数回押すことにより、それに対応する指令信号（第１の指令信号）がリモコン送信装置９から送信され、上記縮小表示に関するメニュー項目をプラズマディスプレイパネル５に表示させることができる。そして、数字入力キー１６又はカーソルキー１８を操作することにより、それに対応する指令信号（第２及び第３の指令信号）がリモコン送信装置９から送信され、縮小された映像の大きさや位置を変更することができる。
【００２１】
図３及び図４は、映像を縮小して表示しているプラズマディスプレイパネル５を示している。図３において、（ａ）は縮小画面２０の表示を開始した当初のプラズマディスプレイパネル５を、（ｂ）は向って左上端に縮小画面２０を移動させた状態の同パネル５を、（ｃ）はそれより向って右方向に１００ドット、下方向に１００ドットだけ縮小画面２０を移動させた状態の同パネル５をそれぞれ示している。
【００２２】
縮小画面２０の表示は、映像信号処理部３がチューナ２から出力された映像信号より所定の画素に相当する映像信号を間引くことによりなされる。このとき、縮小画面２０が表示されない領域２１は、パネル駆動部４によって駆動電圧が印加されないので、消費電力の低減を図ることができる。
【００２３】
また、図３（ａ）に示した状態から、ユーザはカーソルキー１８を操作することにより、それに対応する指令信号（第３の指令信号）がリモコン送信装置９から送信され、図３（ｂ）に示すように所望の方向に縮小画面２０を移動させることができる。同様に、数字入力キー１６を操作することにより、図３（ｃ）に示すように所望の座標位置に縮小画面２０を移動させることができる。縮小画面２０の移動に必要な映像信号の生成は、映像信号処理部３によってなされる。
【００２４】
また、図４において、（ａ）は１５インチサイズで縮小画面２０の表示を開始した当初のプラズマディスプレイパネル５を、（ｂ）は１７インチサイズで縮小画面２０を表示した状態の同パネル５を、（ｃ）は２１インチサイズで縮小画面２０を表示した状態の同パネル５をそれぞれ示している。図４（ａ）に示した状態から、ユーザはカーソルキー１８を操作することにより、それに対応する指令信号（第２の指令信号）がリモコン送信装置９から送信され、図４（ｂ）及び（ｃ）に示すように、段階的に縮小画面２０のサイズを変更することができる。縮小画面２０の表示サイズの変更に必要な映像データの生成は、映像信号処理部３によってなされる。すなわち、映像信号処理部３は、チューナ２から出力された映像信号より所定の画素に相当する映像信号を間引くことによりなされる。さらに、図４（ｂ）及び（ｃ）に示した状態から、メニューキー１７を操作してメニュー項目を変更した後、数字入力キー１６又はカーソルキー１８を操作することにより１７インチサイズ又は２１インチサイズの縮小画面２０の表示位置を任意に変更することができる。
【００２５】
以上のように、本実施形態のプラズマＴＶ装置１によれば、映像信号処理部３がプラズマディスプレイパネル５に表示させる映像を縮小して一部の表示領域を用いて縮小した映像を表示させるので、ユーザが画面のすぐ傍にいる場合であっても、ユーザが縮小画面２０の全体を一望でき、画面の視認性が良好になる。また、パネル駆動部４がプラズマディスプレイパネル５に駆動電圧を印加する領域を少なくすることができるので、プラズマＴＶ装置１の消費電力の低減を図ることができる。また、プラズマディスプレイパネル５に表示させる映像（縮小画面２０）の縮小率を変化させることができるので、部屋の大きさ（ユーザと画面との距離）及びユーザの好みに応じて自由に映像のサイズを調整することができ、使い勝手を高めることができる。また、縮小画面２０の位置を任意に設定可能であるので、プラズマＴＶ装置１とユーザとの位置関係に応じて縮小画面２０の表示位置を変更することができ、使い勝手を高めることができる。
【００２６】
なお、本発明は上記実施形態の構成に限られることなく種々の変形が可能である。例えば、消費電力の低減効果を考慮すると、映像を表示するための表示パネルは、表示面を構成する素子自体が発光し、かつ大画面化が容易なプラズマディスプレイパネル５で構成されている形態が最も望ましいが、液晶ディスプレイパネルで構成されていてもよい。この場合にあっては、液晶のバックライトに相当する発光管（又は白色ＬＥＤ）を縮小画面２０の表示領域に応じて部分的に発光させることにより、装置の消費電力の低減を図ることができる。また、画面とユーザとの距離及び位置を赤外線センサ等で検出し、その検出した距離及び位置に応じて、縮小画面２０の縮小率や表示位置を自動的に変更するように構成してもよい。
【図面の簡単な説明】
【００２７】
【図１】本発明の一実施形態によるプラズマＴＶ装置のブロック図。
【図２】同装置のリモコン送信装置の外観を示す平面図。
【図３】（ａ）は縮小画面をプラズマディスプレイパネルの略中央部に表示した状態、（ｂ）は向って左上端部に表示した状態、（ｃ）はさらに位置を変えて表示した状態を示す図。
【図４】（ａ）は縮小画面を１５インチサイズで表示した状態、（ｂ）は１７インチサイズで表示した状態、（ｃ）は２１インチサイズで表示した状態を示す図。
【符号の説明】
【００２８】
１    プラズマＴＶ装置
２    チューナ
３    映像信号処理部（映像信号処理手段）
４    パネル駆動部（映像表示手段）
５    プラズマディスプレイパネル（映像表示手段）
８    制御部（制御手段）
９    リモコン送信装置（指令入力手段）
【図１】
2005318142.tif 000003
【図２】
2005318142.tif 000004
【図３】
2005318142.tif 000005
【図４】
2005318142.tif 000006